(57)【特許請求の範囲】
【請求項１】
リグニンスルホン酸又はその塩、並びに
酸化カリウム、酸化カルシウム、酸化マグネシウム、酸化ナトリウム、酸化第二鉄、二酸化ケイ素、酸化アルミニウム、三酸化硫黄、及び酸化チタンを少なくとも含む無機成分を含有し、
酸化カリウムの含有量が０．１２〜０．１４重量部、酸化カルシウムの含有量が０．２９〜０．３２重量部、酸化マグネシウムの含有量が０重量部より多く０．０５重量部以下、酸化ナトリウムの含有量が１６．２〜１７．９重量部、酸化第二鉄の含有量が０．１０〜０．１２重量部、二酸化ケイ素の含有量が８．９３〜９．８７重量部、酸化アルミニウムの含有量が１５．５〜１７．１重量部、三酸化硫黄の含有量が０重量部より多く０．０８重量部以下、酸化チタンの含有量が０．３０〜０．３２重量部であり、
無機成分に対するリグニンスルホン酸又はその塩の重量比率が、２０／８０〜３０／７０である、
土木工事排出濁水処理用凝集剤。  
【請求項２】
リグニンスルホン酸塩が、リグニンスルホン酸ナトリウムである、請求項１に記載の凝集剤。  
【請求項３】
濁水に、請求項１又は２に記載の凝集剤を添加することを含む、土木工事排出濁水の処理方法。
【発明の詳細な説明】
【技術分野】
【０００１】
本発明は、土木工事排出濁水処理用凝集剤に関する。
【背景技術】
【０００２】
トンネル掘削工事などの土木工事現場では、多量の濁水が生じることが多い。濁水をそのまま排出することは環境保全の観点から好ましくないため、濁水の濁りの原因となる懸濁物質を、凝集剤を用いて凝集させ、大きな粒子としてから濁水から除去する処理が行われている。
引用文献１には、粘土、ポリ塩化アルミニウムなどの無機凝集剤、及び有機高分子凝集剤を含んでなる凝集剤が記載され、セメント工事の現場で発生する汚水の処理に適することが記載されている。
引用文献２には、所定の無機凝集剤、硫酸アルミニウム、ポリ塩化アルミニウム、及びモルデナイト系天然ゼオライトを含有する排水処理用凝集剤が記載され、トンネル工事などにおける排水の処理に用い得ることが記載されている。
【先行技術文献】
【特許文献】
【０００３】
【特許文献１】特開２００７−０６１７１８号公報
【特許文献２】特許第５５０１５４４号公報
【発明の概要】
【発明が解決しようとする課題】
【０００４】
しかしながら、ポリ塩化アルミニウムと有機高分子凝集剤とを組み合わせた凝集剤は、濁水のｐＨ、濁度によっては、濁水を処理できない場合があり、この場合には、濁水の前処理が必要であった。また、有機高分子凝集剤は、環境への影響が大きく、例えば環境中へ放出された場合に、魚類のエラを閉塞する可能性が指摘されている。さらに、ポリ塩化アルミニウムを多量に使用すると、環境中に多量のアルミニウムイオンを放出することとなり、好ましくない。
【０００５】
したがって、本発明は、濁水の前処理を必要とせず、濁水の濁度を少量の添加量で低下させることができる土木工事排出濁水処理用凝集剤を提供することを課題とする。
【課題を解決するための手段】
【０００６】
本発明者らは、鋭意研究を行った結果、所定の無機成分に、リグニンスルホン酸又はその塩を組み合わせることで上記課題が解決されることを見出し、本発明に至った。
【０００７】
すなわち、本発明は、以下の［１］〜［５］を提供する。
［１］  リグニンスルホン酸又はその塩、並びに
酸化カリウム、酸化カルシウム、酸化マグネシウム、酸化ナトリウム、酸化第二鉄、二酸化ケイ素、酸化アルミニウム、三酸化硫黄、及び酸化チタンを少なくとも含む無機成分
を含有する土木工事排出濁水処理用凝集剤。
［２］  酸化カリウムの含有量が０．１２〜０．１４重量部、酸化カルシウムの含有量が０．２９〜０．３２重量部、酸化マグネシウムの含有量が０重量部より多く０．０５重量部以下、酸化ナトリウムの含有量が１６．２〜１７．９重量部、酸化第二鉄の含有量が０．１０〜０．１２重量部、二酸化ケイ素の含有量が８．９３〜９．８７重量部、酸化アルミニウムの含有量が１５．５〜１７．１重量部、三酸化硫黄の含有量が０重量部より多く０．０８重量部以下、酸化チタンの含有量が０．３０〜０．３２重量部である、［１］に記載の凝集剤。
［３］  無機成分に対するリグニンスルホン酸又はその塩の重量比率が、１０／９０〜４０／６０である、［１］または［２］に記載の凝集剤。
［４］  リグニンスルホン酸塩が、リグニンスルホン酸ナトリウムである、［１］〜［３］のいずれか１項に記載の凝集剤。
［５］  濁水に、［１］〜［４］のいずれか１項に記載の凝集剤を添加することを含む、土木工事排出濁水の処理方法。
【発明の効果】
【０００８】
本発明の土木工事排出濁水処理用凝集剤は、濁水の前処理を必要とせず、濁水の濁度を少量の添加量で低下させることができる。
【発明を実施するための形態】
【０００９】
本発明の土木工事排出濁水処理用凝集剤は、所定の無機成分（Ａ）、及びリグニンスルホン酸又はその塩（Ｂ）を含む。
【００１０】
＜無機成分（Ａ）＞
無機成分は、酸化カリウム、酸化カルシウム、酸化マグネシウム、酸化ナトリウム、酸化第二鉄、二酸化ケイ素、酸化アルミニウム、三酸化硫黄、及び酸化チタンを少なくとも含む。
無機成分（Ａ）は、それぞれの成分又は無機成分（Ａ）自体の凝集作用の有無は問わない。また無機成分（Ａ）は、上記成分以外の成分を含んでいてもよい。
【００１１】
無機成分（Ａ）中の各成分の含有量には特に限定はなく、適宜定めることができる。
無機成分（Ａ）中の酸化カリウムの含有量は、好ましくは、０．１２〜０．１４重量部である。
無機成分（Ａ）中の酸化カルシウムの含有量は、好ましくは、０．２９〜０．３２重量部である。
無機成分（Ａ）中の酸化マグネシウムの含有量は、好ましくは、０重量部より多く０．０５重量部以下であり、より好ましくは、０．０１〜０．０５重量部であり、さらに好ましくは、０．０３〜０．０５重量部である。
無機成分（Ａ）中の酸化ナトリウムの含有量は、好ましくは、１６．２〜１７．９重量部である。
無機成分（Ａ）中の酸化第二鉄の含有量は、好ましくは、０．１０〜０．１２重量部である。
無機成分（Ａ）中の二酸化ケイ素の含有量は、好ましくは、８．９３〜９．８７重量部である。
無機成分（Ａ）中の酸化アルミニウムの含有量は、好ましくは、１５．５〜１７．１重量部である。
無機成分（Ａ）中の三酸化硫黄の含有量は、好ましくは、０重量部より多く０．０８重量部以下であり、より好ましくは、０．０１〜０．０８重量部であり、さらに好ましくは、０．０３〜０．０８重量部である。
無機成分（Ａ）中の酸化チタンの含有量は、好ましくは、０．３０〜０．３２重量部である。
【００１２】
好ましくは、無機成分（Ａ）は、酸化カリウムの含有量が０．１２〜０．１４重量部、酸化カルシウムの含有量が０．２９〜０．３２重量部、酸化マグネシウムの含有量が０重量部より多く０．０５重量部以下、酸化ナトリウムの含有量が１６．２〜１７．９重量部、酸化第二鉄の含有量が０．１０〜０．１２重量部、二酸化ケイ素の含有量が８．９３〜９．８７重量部、酸化アルミニウムの含有量が１５．５〜１７．１重量部、三酸化硫黄の含有量が０重量部より多く０．０８重量部以下、酸化チタンの含有量が０．３０〜０．３２重量部である。
【００１３】
無機成分（Ａ）は、含水率が、１５重量％以下であってよく、１０〜１５重量％であってよい。
無機成分（Ａ）は、強熱減量が、３０重量％以下であってよく、２０〜３０重量％であってよい。
【００１４】
無機成分（Ａ）中の各成分の含有率は、従来公知の方法で測定することができる。例えば、酸化カリウム、酸化カルシウム、酸化マグネシウム、酸化ナトリウム、酸化第二鉄、及び酸化マンガンは、原子吸光法により、酸化アルミニウム及び酸化チタンは、誘導結合プラズマ質量分析（ＩＣＰ−ＭＳ）法により、二酸化ケイ素、三酸化硫黄、及び水分は重量法により、それぞれ測定することができる。また、無機成分（Ａ）の強熱減量は直接灰化法により測定することができる。直接灰化法において、強熱条件は、通常、６００℃±２５℃で約２時間である。実施例に記載された無機成分の各成分の含有率及び強熱減量は、上記の方法により測定された値である。
【００１５】
無機成分（Ａ）は、上記各成分の組成物であってもよい。斯かる組成物は従来公知の方法で製造することができ、例えば、酸化カリウム、酸化カルシウム、酸化マグネシウム、酸化ナトリウム、酸化第二鉄、二酸化ケイ素、酸化アルミニウム、三酸化硫黄、酸化チタンを混合し、水分量を適宜調整することによって製造することができる。
【００１６】
無機成分（Ａ）が組成物の場合、斯かる組成物の形態は、任意であるが、例えば、粉末状、粒状、ペレット状、スラリー状が挙げられる。
【００１７】
本発明の凝集剤に含まれる無機成分（Ａ）は、市販品であってもよい。本発明の凝集剤に含まれる無機成分（Ａ）の市販品として、例えばＳＮＫバイオ（新日本工業株式会社より供給）が挙げられる。
【００１８】
＜リグニンスルホン酸又はその塩（Ｂ）＞
リグニンスルホン酸は、リグニン側鎖のα位に存在するヒドロキシ基が、スルホ基に変換されて生じるリグニンの誘導体である。リグニンスルホン酸又はその塩（Ｂ）の製造原料及び製造方法には限定がなく、本発明の凝集剤は、任意の製造原料及び任意の製造方法で製造されたリグニンスルホン酸又はその塩（Ｂ）を含んでよい。
リグニンスルホン酸又はその塩（Ｂ）の製造原料としては、例えば、リグニンを含有するパルプ原料（例、木材、非木材）が挙げられる。リグニンスルホン酸又はその塩（Ｂ）の製造原料である木材としては、例えば、針葉樹木材（例、エゾマツ、アカマツ、スギ、ヒノキ）及び広葉樹木材（例、シラカバ、ブナ）が挙げられ、非木材としては、例えば、竹、ケナフ、葦、及び稲が挙げられる。リグニンスルホン酸又はその塩（Ｂ）の製造原料として、これら原料を１種のみ用いても、２種以上組み合わせて用いてもよい。
リグニンスルホン酸又はその塩（Ｂ）の製造方法としては、例えば、リグニンを含有するパルプ原料を、亜硫酸法により蒸解して得る方法が挙げられる。
【００１９】
リグニンスルホン酸の塩としては、特に限定されないが、例えばリグニンスルホン酸の金属塩が挙げられる。リグニンスルホン酸の金属塩としては、例えばリグニンスルホン酸のアルカリ金属塩（例、リチウム塩、ナトリウム塩、カリウム塩）、及びリグニンスルホン酸のアルカリ土類金属塩（例、マグネシウム塩、カルシウム塩、バリウム塩）が挙げられる。
【００２０】
本発明の凝集剤は、好ましくはリグニンスルホン酸の塩を含み、より好ましくはリグニンスルホン酸のアルカリ金属塩又はリグニンスルホン酸のアルカリ土類金属塩を含み、さらに好ましくはリグニンスルホン酸のアルカリ金属塩を含み、特に好ましくはリグニンスルホン酸のナトリウム塩を含む。
なお、本明細書において、アルカリ土類金属には、マグネシウム及びベリリウムも含まれる。
【００２１】
リグニンスルホン酸又はその塩（Ｂ）は、任意の形態で本発明の凝集剤に含まれていてよい。リグニンスルホン酸又はその塩（Ｂ）の形態としては、例えば、固体状（例、粉末状、粒状、ペレット状）、液状（例、溶液、分散液、懸濁液）が挙げられる。
【００２２】
リグニンスルホン酸又はその塩（Ｂ）として、市販品を使用することもできる。
リグニンスルホン酸又はその塩（Ｂ）の市販品として、例えば、バニレックスＮ（登録商標）（日本製紙より供給）、バニレックスＨＷ（登録商標）（日本製紙より供給）、パールレックスＮＰ（登録商標）（日本製紙より供給）、リグニンスルホン酸ナトリウム（東京化成より供給）、サンエキスＰ２５２（登録商標）（日本製紙より供給）、サンエキスＰ３２１（登録商標）（日本製紙より供給）が挙げられる。
【００２３】
本発明の凝集剤における、無機成分（Ａ）とリグニンスルホン酸又はその塩（Ｂ）との含有比に特に限定はないが、好ましくは、本発明の凝集剤における、リグニンスルホン酸又はその塩（Ｂ）の、無機成分（Ａ）に対する重量比率（リグニンスルホン酸又はその塩（Ｂ）／無機成分（Ａ））は、好ましくは１０／９０以上であり、より好ましくは１５／８５以上であり、さらに好ましくは２０／８０以上である。上限は、好ましくは４０／６０以下であり、より好ましくは３５／６５以下であり、さらに好ましくは３０／７０以下である。
【００２４】
＜任意の成分＞
本発明の凝集剤は、本発明の効果を阻害しない限り、上記所定の無機成分（Ａ）とリグニンスルホン酸又はその塩（Ｂ）との他に、任意の成分を含んでいてもよい。
任意の成分としては、例えば、リグニンスルホン酸又はその塩（Ｂ）を製造する際の副生成物、有機凝集剤、無機凝集剤、吸着剤、消泡剤、防腐剤、ｐＨ調整剤、界面活性剤が挙げられる。
上記副生成物としては、例えば、還元糖類（例：すべての単糖；マルトース、ラクトース、アラビノース、スクロースの転化糖などの二糖；多糖）、糖が酸化、スルホン化等の化学変性を受けて生成する糖変性物、及び無機塩が挙げられる。
有機凝集剤としては、例えば、有機高分子凝集剤が挙げられ、有機高分子凝集剤としては、例えば、ノニオン性有機高分子凝集剤（例、ポリアクリルアミド、ポリエチレンオキシド、グアーガム、デンプン）、両性有機高分子凝集剤（例、アクリルアミド−アクリル酸−アクリロイルオキシエチルトリメチルアンモニウムクロリド共重合物）、アニオン性有機高分子凝集剤（例、アクリルアミド−アクリル酸ナトリウム共重合体）、及びカチオン性有機高分子凝集剤（例、２−アクリロイルオキシエチルトリメチルアンモニウムクロリド−アクリルアミド共重合体、２−アクリロイルオキシエチルトリメチルアンモニウムクロリド−スチレン共重合体、２−アクリロイルオキシエチルトリメチルアンモニウムクロリド−アクリロニトリル共重合体、ポリビニルアミジン）が挙げられる。
無機凝集剤としては、例えば、硫酸アルミニウム、ポリ塩化アルミニウム、塩化第二鉄、及びポリ硫酸鉄が挙げられる。
吸着剤としては、例えば、ゼオライト（例、天然ゼオライト、合成ゼオライト）が挙げられる。
【００２５】
本発明の凝集剤は、溶媒又は分散媒を含んでいてもよい。
本発明の凝集剤が溶媒又は分散媒を含む場合、凝集剤に含まれ得る溶媒又は分散媒に特に限定はないが、例えば、水、アルコール類（例、メタノール、エタノール）、エステル類（例、酢酸メチル、酢酸エチル）、エーテル類（例、ジエチルエーテル、メチルセロソルブ、セロソルブ、ブチルセロソルブ、メチル−ｔｅｒｔ−ブチルエーテル、ブチルカルビトール）、ケトン類（例、アセトン、ジエチルケトン）、グリコール類（例、エチレングリコール、プロピレングリコール）、及びこれらの混合媒体が挙げられ、好ましくは水及びアルコール類からなる群より選ばれる１種以上であり、より好ましくは水である。
【００２６】
＜本発明の凝集剤の形態＞
本発明の凝集剤の形態は、特に限定されず、例えば、固体状（粉状、粒状、ペレット状）、液状であってよい。本発明の凝集剤が液状である場合、本発明の凝集剤は、溶液、懸濁液、分散液、又は乳化液であり得る。
【００２７】
本発明の凝集剤には、無機成分（Ａ）とリグニンスルホン酸又はその塩（Ｂ）とが、混合された形態で含まれていてもよいし、無機成分（Ａ）とリグニンスルホン酸又はその塩（Ｂ）とが、分離した形態（例、無機成分（Ａ）とリグニンスルホン酸又はその塩（Ｂ）とが別々の容器に収納された形態）で含まれていてもよい。好ましくは、本発明の凝集剤には、無機成分（Ａ）とリグニンスルホン酸又はその塩（Ｂ）とが混合された形態で含まれる。無機成分（Ａ）とリグニンスルホン酸又はその塩（Ｂ）とが、分離した形態で本発明の凝集剤に含まれている場合、好ましくは無機成分とリグニンスルホン酸又はその塩（Ｂ）とを合わせてから、濁水に対して添加する。
【００２８】
＜本発明の凝集剤の製造方法＞
本発明の凝集剤は、上記所定の無機成分（Ａ）と、リグニンスルホン酸又はその塩（Ｂ）と、必要に応じて任意の成分とを含んでいればよい。本発明の凝集剤が、上記所定の無機成分（Ａ）と、リグニンスルホン酸又はその塩（Ｂ）とを、混合された形態で含んでいる場合、本発明の凝集剤は例えば以下のように製造され得る。
無機成分（Ａ）と、リグニンスルホン酸又はその塩（Ｂ）と、必要に応じて配合される任意の成分とを、公知の粉体混合機（例、円筒型混合機、Ｖ型混合機、リボン型混合器、高速流動型混合機、気流撹拌型混合機）に投入して、無機成分（Ａ）と、リグニンスルホン酸又はその塩（Ｂ）と、任意の成分とを混合してもよい。混合の前に、各成分を必要に応じて公知の装置（例、ジョークラッシャー、ロールクラッシャー、カッターミル、ローラーミル、ジェットミル）を用いて粉砕処理してもよい。
また、無機成分（Ａ）と、リグニンスルホン酸又はその塩（Ｂ）と、必要に応じて配合される任意の成分とを、溶媒又は分散媒に加えて、公知の撹拌装置（例、バッチ式ミキサー、連続式ミキサー）により撹拌して混合してもよい。
混合のための装置へ各成分を投入する順序には特に限定がなく、すべての成分を同時に装置に投入しても、いずれかの成分を先に装置に投入しておいてから順次残りの成分を投入してもよい。混合の際の温度条件には特に限定はなく、加温または冷却してもよいし加温又は冷却しなくてもよい。混合の際の回転速度に特に限定はなく、例えば、１０〜１００ｒｐｍとしてよい。混合時間にはとくに限定はなく、例えば１〜１０分間としてよい。
【００２９】
＜本発明の凝集剤により処理され得る濁水＞
本発明の凝集剤により処理され得る濁水は、好ましくは各種土木工事（例、トンネル掘削工事、道路工事、河川工事、港湾工事）において排出される濁水である。したがって、本発明の凝集剤は、土木工事排出濁水処理用であり、土木工事排出濁水処理に特に適している。
本発明の凝集剤により処理され得る濁水の、ｐＨ、濁度、及び温度には特に限定はなく、本発明の凝集剤により処理され得る濁水は、通常、温度の調整、ｐＨの調整などの前処理がされる必要はないが、温度の調整、ｐＨの調整などの前処理がされたものであってもよい。
【００３０】
＜本発明の凝集剤の使用方法＞
本発明の凝集剤の濁水に対する添加量に特に限定はないが、濁水１Ｌに対して、好ましくは１００ｍｇ以上であり、より好ましくは、５００ｍｇ以上であり、さらに好ましくは１，０００ｍｇ以上である。上限は通常、２，０００ｍｇ以下である。
【００３１】
本発明の凝集剤は、濁水に添加量のすべてを一度に添加してもよいし、添加量を分割して、これらを逐次添加してもよい。また、本発明の凝集剤を、濁水に連続的に添加してもよい。
【００３２】
本発明の凝集剤に、無機成分（Ａ）とリグニンスルホン酸又はその塩（Ｂ）とが分離した形態で含まれている場合には、無機成分（Ａ）とリグニンスルホン酸又はその塩（Ｂ）とのうち、いずれかを先に濁水に添加し、次いで残りの成分を濁水に添加してもよい。
【００３３】
本発明の凝集剤を濁水に添加する際、及び／又は本発明の凝集剤を濁水に添加した後、濁水を撹拌することが好ましい。撹拌は、公知の撹拌装置を用いて行うことができる。撹拌速度に特に限定はないが、例えば、１００〜２０００ｒｐｍで行ってよい。撹拌時間にも特に限定はないが、例えば、１分間〜１０分間であってよい。撹拌速度は一定でもよいし、段階的又は連続的に変化させてもよい。
【００３４】
本発明の凝集剤を濁水に添加した後、濁水をろ過してもよい。これにより、生じたフロックを分離することができる。
【００３５】
＜濁水の処理方法＞
本発明の濁水の処理方法は、濁水に上記所定の無機成分（Ａ）と、リグニンスルホン酸又はその塩（Ｂ）とを添加することを含む。本発明の濁水の処理方法により、濁水の前処理を必要とせず、濁水の濁度を、凝集剤を少量添加することで低下させることができる。
【００３６】
無機成分（Ａ）の好ましい例及びリグニンスルホン酸又はその塩（Ｂ）の好ましい例は、既に説明したとおりである。
濁水へ無機成分（Ａ）とリグニンスルホン酸又はその塩（Ｂ）とを添加することには、無機成分（Ａ）とリグニンスルホン酸又はその塩（Ｂ）とを同時に濁水に添加すること、無機成分（Ａ）とリグニンスルホン酸又はその塩（Ｂ）とのいずれかを先に濁水に添加することが含まれる。
【００３７】
濁水の濁度は、公知の方法で測定することができ、例えば、ＩＳＯ７０２７に準拠したネフェロ方式で測定することができる。ネフェロ方式に従った濁度測定機器としては、例えば、ポータブル濁度計ＴＮ１００ＩＲ（ニッコー・ハンセン株式会社製）が挙げられる。
【実施例】
【００３８】
以下、実施例により本発明をさらに具体的に説明するが、本発明はこれらにより限定されない。
＜実施例１＞
［凝集剤１］
ＳＮＫバイオ（無機成分、新日本工業株式会社より供給）７重量部及びリグニンスルホン酸ナトリウム（東京化成より供給）３重量部を、混合機としてハイパワーミキサーＣＢ−３４（丸東製作所製）を用い、６０ｒｐｍで、３分間撹拌混合して凝集剤１を調製した。
【００３９】
なお、ＳＮＫバイオは、次の組成を有するものである。ここで、「％」は、重量％を意味する。
酸化カリウム        ０．１３％
酸化カルシウム      ０．３％
酸化マグネシウム    ０．０５％
酸化ナトリウム    １７．０％
酸化第二鉄          ０．１１％
酸化マンガン        ０．０１％未満
二酸化ケイ素        ９．４％
酸化アルミニウム  １６．３％
三酸化硫黄          ０．０８％
酸化チタン          ０．３２％
水分              １４．１％
強熱減量          ２８．７％
【００４０】
［濁水処理］
濁水（北海道恵庭市付近掘削濁水に水を加えて撹拌し、濁度１０００ｍｇ／Ｌに調整したもの）１００ｍＬに、凝集剤１を０．１ｇ添加し、マグネチックスターラーを用いて撹拌し、撹拌開始後３分後に撹拌を停止して、１分間静置し、上澄みを取り分けて処理水を得た。処理水の濁度を、ポータブル濁度計（ＴＮ１００ＩＲ：ニッコー・ハンセン株式会社製）により測定した。また、処理水をろ過して得られたろ液のｐＨを測定した。
【００４１】
・フロックの大きさ
濁水沈殿物からなるフロック（凝集物）の大きさは、目視により観察し以下の基準により評価を行った。
大：大部分のフロックが直径１ｃｍ以上である。
中：大部分のフロックが直径０．５ｃｍ以上〜１ｃｍ未満である。
小：大部分のフロックが０．５ｃｍ未満である。
・フロックの粘性
フロックの粘性は、以下の基準で目視にて評価した。
粘性あり：フロックは容器に付着する程度にべたついている。
粘性なし：フロックはべたついておらず、容器からも簡単に離れる。
結果を表１に示す。
【００４２】
＜実施例２＞
［凝集剤２］
ＳＮＫバイオ（凝集剤１と同じ）８重量部及びリグニンスルホン酸ナトリウム（凝集剤１と同じ）２重量部を、凝集剤１と同様に操作して凝集剤２を調製した。
［濁水処理］
凝集剤１の代わりに凝集剤２を使用した他は、実施例１と同様にして、濁水処理を行った。結果を表１に示す。
【００４３】
＜実施例３＞
［凝集剤３］
ＳＮＫバイオ（凝集剤１と同じ）８重量部及びバニレックスＨＷ（リグニンスルホン酸ナトリウム、日本製紙より供給）２重量部を、凝集剤１と同様に操作して凝集剤３を調製した。
［濁水処理］
凝集剤１の代わりに凝集剤３を使用した他は、実施例１と同様にして、濁水処理を行った。結果を表１に示す。
【００４４】
＜実施例４＞
濁水処理において、濁水として濁度１００００ｍｇ／Ｌに調整したものを用いた他は実施例３と同様にして、濁水処理を行った。結果を表２に示す。
【００４５】
＜比較例１＞
凝集剤１の代わりにＳＮＫバイオ（凝集剤１と同じ）のみを凝集剤として使用した以外は実施例１と同様にして、濁水処理を行った。結果を表１に示す。
【００４６】
＜比較例２＞
凝集剤３の代わりにＳＮＫバイオ（凝集剤１と同じ）のみを凝集剤として使用した以外は実施例４と同様にして、濁水処理を行った。結果を表２に示す。
【００４７】
【表１】
0006726495.tif 000002
【００４８】
【表２】
0006726495.tif 000003
【００４９】
表１の結果から、無機成分のみを用いて濁水を処理した比較例１と比較して、無機成分及びリグニンスルホン酸又はその塩を含む凝集剤１〜３を用いて濁水を処理した実施例１〜３は、処理水の濁度が低かった。また、実施例１〜３において、生じるフロックは大きく、ろ過などの操作に問題がないことが予想される。以上の結果から、本発明の凝集剤は、無機成分と同等の濁度低下の結果を得るために無機成分と比較して少量の添加量でよいことが推察される。
【００５０】
表２の結果から、濁水の初期濁度が大きい場合であっても、無機成分のみを用いて濁水を処理した比較例２と比較して、凝集剤３を用いて濁水を処理した実施例４は、処理水の濁度が低かった。また、実施例４において、生じるフロックの大きさは中程度であり、またフロックに粘性はなく、ろ過などの操作に問題がないことが予想される。一方、比較例２において、生じるフロックは大きいが、粘性がある。
以上の結果から、本発明の凝集剤は、濁度が大きい場合であっても、特に前処理を行う必要がなく、濁水の濁度を低下させることができることがわかる。